(57)【要約】【課題】カメラヘッドが交換されても、被写界深度や合焦範囲などを算出することができる、撮影レンズと撮像素子とが内蔵されたカメラヘッドがカメラ本体に着脱自在に装着されるカメラシステムを提供することを目的とする。【解決手段】被写体光が通過する撮像光学系、撮像光学系を通って結像する被写体光を表わす画像データを取得する撮像素子、撮像素子上での合焦に求められる厳密さの程度を求めるために必要な撮像情報を送信する情報送信部、および撮像素子で取得された画像データを送信する画像送信部を備えたカメラヘッドと、カメラヘッドが着脱自在に装着される接続部、画像データを受信する画像受信部、画像受信部で受信された画像データに所定の画像処理を施す画像処理部、および撮像情報を受信する情報受信部を備えたカメラ本体とを備えた。【選択図】        図５
2006129173.tif 000002
【特許請求の範囲】
【請求項１】
被写体光が通過する撮像光学系、該撮像光学系を通って結像する被写体光を表わす画像データを取得する撮像素子、該撮像素子上での合焦に求められる厳密さの程度を求めるために必要な撮像情報を送信する情報送信部、および撮像素子で取得された画像データを送信する画像送信部を備えたカメラヘッドと、
前記カメラヘッドが着脱自在に装着される接続部、画像データを受信する画像受信部、該画像受信部で受信された画像データに所定の画像処理を施す画像処理部、および前記撮像情報を受信する情報受信部を備えたカメラ本体とを備えたものであることを特徴とするカメラシステム。
【請求項２】
前記情報送信部が、前記撮像情報として、被写体までの被写体距離、前記撮像光学系の焦点距離、前記撮像光学系の集光能力、前記撮像素子の大きさと画素数、および前記撮像素子の画素ピッチのうち少なくともいずれか１つを含む撮像情報を送信するものであることを特徴とする請求項１記載のカメラシステム。
【請求項３】
前記カメラヘッドおよび／または前記カメラ本体に所属した、前記撮像情報に基づいて被写界深度および／または合焦範囲を算出する演算部と、
前記カメラヘッドおよび／または前記カメラ本体に所属した、前記演算部で算出された被写界深度および／または合焦範囲を表示する表示部とを備えたことを特徴とする請求項１記載のカメラシステム。
【請求項４】
前記カメラヘッドおよび／または前記カメラ本体に所属した、前記撮像情報と、操作に応じて入力される被写体距離とに基づいて被写界深度および／または合焦範囲を算出する演算部と、
前記カメラヘッドおよび／または前記カメラ本体に所属した、前記演算部で算出された被写界深度および／または合焦範囲を表示する表示部とを備えたことを特徴とする請求項１記載のカメラシステム。
【発明の詳細な説明】
【技術分野】
【０００１】
本発明は、被写体光を結像する撮影光学系と被写体光を読み取って画像データを取得する撮像素子とが搭載されたカメラヘッドと、カメラヘッドが着脱自在に装着され、画像データに所定の画像処理を施すカメラ本体とを備えたカメラシステムに関する。
【背景技術】
【０００２】
従来、交換式の撮影レンズを、撮像素子が内蔵されたカメラ本体に装着して用いるレンズ交換式デジタルカメラが知られている。このレンズ交換式デジタルカメラは、撮影レンズによって結像された被写体光が、カメラ本体側に備えられた撮像素子で受光されて撮影画像データが生成されるため、従来、銀塩フィルムに撮影画像を記録するフィルム式の一眼レフカメラで使用されていた交換式の撮影レンズを再利用することができる。
【０００３】
しかし、例えば、低解像度で小型な撮像素子が内蔵されたカメラ本体に、高価で光学性能が優れた大型の撮影レンズを装着すると、撮影レンズによって被写体光が精度良く結像されるが、撮像素子ではその被写体光を高精度に読み取ることができず、撮影レンズの性能を活かし切れないという問題がある。
【０００４】
この点に関し、特許文献１には、撮影レンズと撮像素子とが内蔵されたカメラヘッドをカメラ本体に装着するヘッド交換式デジタルカメラについて記載されている。特許文献１に記載された技術によると、撮影レンズの大きさや光学性能に適したＣＣＤを予めカメラヘッド内に備えておくことによって、撮影レンズの性能を活かした撮影を行って、高画質な撮影画像を取得することができる。
【０００５】
ところで、デジタルカメラの分野では、撮像素子の大きさなどに基づいて、３５ｍｍ相当焦点距離（３５ｍｍフィルム上での焦点距離）や、被写界深度や、合焦範囲などを算出することが行われている。ユーザは、３５ｍｍ相当焦点距離を確認することによって、使い慣れたフィルム式カメラに換算したときの撮影画角を認識することができる。また、被写界深度や合焦範囲を確認することによって、カメラからどのくらいの距離範囲内にある被写体ならば焦点を合わせることができるのかを認識することができ、異なる距離にある複数の被写体に焦点を合わせて撮影を行うことができる。
【特許文献１】特開平８−１７２５６１号公報
【発明の開示】
【発明が解決しようとする課題】
【０００６】
しかし、特許文献１に記載されたヘッド交換式デジタルカメラでは、撮影レンズと撮像素子とがカメラヘッドにセットで備えられているため、撮影レンズを交換すると撮像素子もいっしょに交換されてしまう。このため、撮像素子の大きさ等が変わってしまい、被写界深度や合焦範囲などを算出することができないという問題がある。
【０００７】
本発明は、上記事情に鑑み、カメラヘッドが交換されても、被写界深度や合焦範囲などを算出することができる、撮影レンズと撮像素子とが内蔵されたカメラヘッドがカメラ本体に着脱自在に装着されるカメラシステムを提供することを目的とする。
【課題を解決するための手段】
【０００８】
上記目的を達成する本発明のカメラシステムは、被写体光が通過する撮像光学系、撮像光学系を通って結像する被写体光を表わす画像データを取得する撮像素子、撮像素子上での合焦に求められる厳密さの程度を求めるために必要な撮像情報を送信する情報送信部、および撮像素子で取得された画像データを送信する画像送信部を備えたカメラヘッドと、
カメラヘッドが着脱自在に装着される接続部、画像データを受信する画像受信部、画像受信部で受信された画像データに所定の画像処理を施す画像処理部、および撮像情報を受信する情報受信部を備えたカメラ本体とを備えたものであることを特徴とする。
【０００９】
本発明のカメラシステムによると、カメラヘッドから、撮像素子の大きさや画素数、撮像素子の画素ピッチなどといった撮像情報が送信され、カメラ本体で撮像情報が受信される。例えば、カメラ本体で、撮像情報に基づいて、撮像素子上での合焦に求められる厳密さの程度が算出されることによって、その程度に応じて被写体までの距離を調整してから撮影を行うことができ、被写体に精度よく焦点を合わせることができる。
【００１０】
また、本発明のカメラシステムにおいて、上記情報送信部が、撮像情報として、被写体までの被写体距離、撮像光学系の焦点距離、撮像光学系の集光能力、撮像素子の大きさと画素数、および撮像素子の画素ピッチのうち少なくともいずれか１つを含む撮像情報を送信するものであることが好ましい。
【００１１】
被写体距離、撮像光学系の焦点距離、撮像光学系の集光能力、撮像素子の大きさと画素数、および撮像素子の画素ピッチなどを使って、被写体にピントが合う距離範囲を表わす被写界深度や合焦範囲などを算出することができる。
【００１２】
また、本発明のカメラシステムにおいて、上記カメラヘッドおよび／またはカメラ本体に所属した、撮像情報に基づいて被写界深度および／または合焦範囲を算出する演算部と、
カメラヘッドおよび／またはカメラ本体に所属した、演算部で算出された被写界深度および／または合焦範囲を表示する表示部とを備えたことが好ましい。
【００１３】
被写界深度および／または合焦範囲が表示部に表示されることによって、ユーザは、どのくらいの距離範囲内にある被写体ならば焦点を合わせることができるのかを認識することができ、撮影前に予め被写体までの距離を調整して、被写体にピントが合った撮影画像を取得することができる。
【００１４】
また、本発明のカメラシステムにおいて、上記カメラヘッドおよび／またはカメラ本体に所属した、撮像情報と、操作に応じて入力される被写体距離とに基づいて被写界深度および／または合焦範囲を算出する演算部と、
カメラヘッドおよび／またはカメラ本体に所属した、演算部で算出された被写界深度および／または合焦範囲を表示する表示部とを備えたことが好ましい。
【００１５】
ユーザによって被写体距離が入力されることによって、暗い場所で撮影されて、被写体距離を測定する測距装置が正しく動作しない場合であっても、被写界深度や合焦範囲を算出することができる。
【発明の効果】
【００１６】
本発明によれば、カメラヘッドが交換されても、被写界深度や合焦範囲などを算出することができる、撮影レンズと撮像素子とが内蔵されたカメラヘッドがカメラ本体に着脱自在に装着されるカメラシステムを提供することができる。
【発明を実施するための最良の形態】
【００１７】
以下、本発明の実施形態について説明する。
【００１８】
図１は、本発明の一実施形態が適用されたカメラシステムの分解図である。
【００１９】
図１に示すカメラシステム１には、撮影レンズとＣＣＤとが内蔵された複数種類のカメラヘッド１＿ａ，２＿ａ，…，ｎ＿ａが用意されており、それら複数種類のカメラヘッドのうちいずれかの種類のカメラヘッドが選択されて使用される。以下の説明においては、複数種類のカメラヘッド１＿ａ，２＿ａ，…，ｎ＿ａを代表してカメラヘッド１＿ａが選択されたものとして説明を行う。
【００２０】
カメラシステム１は、ＣＣＤ１２ａ（図１では図示せず。図３参照）や撮像光学系１１ａ（図１では図示せず。図３参照）などが搭載されたカメラヘッド１＿ａが、背面に撮影画像やメニュー画面などを表示する画像表示部１０５０ｂ（図１では図示せず。図３参照）が設けられたカメラ本体１＿ｂに着脱自在に装着されて構成されている。カメラ本体１＿ｂは、本発明にいうカメラ本体の一例にあたり、カメラヘッド１＿ａ，２＿ａ，…，ｎ＿ａは、本発明にいうカメラヘッドの一例にそれぞれ相当する。
【００２１】
カメラヘッド１＿ａにはヘッドマウントコネクタ１０ａが設けられており、このヘッドマウントコネクタ１０ａが、カメラ本体１＿ｂの前面に設けられた本体マウント１０ｂに着脱自在に嵌合する。本体マウント１０ｂは、本発明にいう接続部の一例に相当する。
【００２２】
図２は、カメラシステム１の側面図である。
【００２３】
カメラヘッド１＿ａには、ズームレンズやフォーカスレンズを移動させるためにユーザが調節する操作部２が設けられており、カメラヘッド１＿ａの側面には、カメラヘッド１＿ａに内蔵されたＣＣＤ１２ａの大きさや画素数などといったＣＣＤ情報３が記されている。また、カメラ本体１＿ｂの側面には、背面に設けられた画像表示部１０５０ｂ（図１では図示せず。図３参照）よりも小さい、文字情報などを表示するための情報表示部１０５１ｂが設けられている。この情報表示部１０５１ｂは、本発明にいう表示部の一例に相当する。
【００２４】
図３は、図１に示すカメラシステム１の内部構成図である。
【００２５】
まずは、カメラヘッド１＿ａについて説明する。
【００２６】
カメラヘッド１＿ａには、フォーカスレンズやズームレンズなどといった各種レンズや、それら各種レンズを駆動するためのモータなどが配備された撮影光学系１１ａ、撮影光学系１１ａ中のモータを制御して、フォーカスレンズやズームレンズのレンズ位置や、絞りなどを制御する絞り／フォーカスズーム制御部１７ａ、撮影光学系１１ａを通って結像された被写体光を受光して、被写体光を表わす被写体信号を生成するＣＣＤ１２ａ、被写体信号の増幅やゲイン調整などを行うアナログ信号処理部１３ａ、アナログ信号である被写体信号をデジタルの画像データに変換するＡ／Ｄ部１４ａ、ＣＣＤ１２ａ，アナログ信号処理部１３ａ，Ａ／Ｄ部１４ａに向けてタイミング信号を発するＴＧ（タイミングジェネレータ）１８ａ、カメラヘッド１＿ａの各種要素を制御するとともに、フォーカスレンズやズームレンズのレンズ位置を算出するヘッドＣＰＵ１９ａ、ＡＥ検出やＡＦ検出に関する処理手順などを示すプログラムが格納されたシステムメモリ１９０ａ、ＣＣＤ１２ａの画素数やレンズの絞り値等のヘッドパラメータが記録された不揮発性メモリ１９１ａが備えられている。撮影光学系１１ａは、本発明にいう撮影光学系の一例にあたり、ＣＣＤ１２ａは、本発明にいう撮像素子の一例に相当する。
【００２７】
また、カメラヘッド１＿ａには、カメラ本体１＿ｂとの間で、ヘッドパラメータなどの情報を送受信する情報送受信部１５１ａと、カメラ本体１＿ｂに被写体光が読み取られた撮影画像データを送信する画像送信部１５０ａが備えられている。この情報送受信部１５１ａは、本発明にいう情報送信部の一例に相当する。
【００２８】
カメラヘッド１＿ａでは、ＣＣＤ１２ａで被写体光が受光されることによって、現在、撮影画角内にある被写体像を捉えた、カメラ本体１＿ｂの画像表示部１０５０ｂに表示されるスルー画像用の低解像度データ、レリーズボタン１３ｂが押下されたときの静止画像を表わす静止画像データ、および動画を表わす動画像データの３種類の画像データが生成される。低解像度データは、解像度が低い一時的なデータであり、画像送信部１５０ａによってカメラ本体１＿ｂに送られるとともに、積算回路１６ａにも送られる。
【００２９】
カメラヘッド１＿ａには、上述した各種要素のほかにも、低解像度データに基づいて、被写体の輝度（ＡＥ検出）やコントラスト（ＡＦ検出）を検出する積算回路１６ａ、カメラヘッド１＿ａ、およびカメラヘッド１＿ａの各種要素に供給される電力を制御する電源制御部１００ａ、電力を調整するＤＣ／ＤＣコンバータ１０１ａなども備えられている。
【００３０】
続いて、カメラ本体１＿ｂについて説明する。
【００３１】
カメラ本体１＿ｂには、カメラヘッド１＿ａから送られてきた低解像度データに基づいて、被写体までの被写体距離を算出する測距装置１７１ｂ、カメラシステム１の各種要素を制御するとともに、被写体距離やヘッドパラメータに基づいて、被写界深度などを算出する本体ＣＰＵ１００ｂ、プログラムが格納されたシステムメモリ１０１ｂ、カメラヘッド１＿ａとの間で情報を送受信するための情報送受信部１５１ｂ、カメラヘッド１＿ａから送信された画像データを受信するための画像受信部１５０ｂ、情報送受信部１５１ｂで受信されたヘッドパラメータなどを記録する不揮発メモリ１０２ｂ、タイマ撮影用のタイマ１１０ｂ、画像表示部１０５０ｂにカレンダ時計を表示するためのカレンダ時計部１１１ｂ、ＵＳＢコネクタ１３０ｂを介してパーソナルコンピュータなどが接続されるＵＳＢドライバ１３１ｂ、カメラ本体１＿ｂに備えられた閃光発光窓から閃光を発光する閃光発光部１２１ｂ、閃光発光部１２１ｂでの発光量を制御する閃光発光制御部１２０ｂ、Ｉ／Ｏ１３３ｂを介して本体ＣＰＵ１００ｂに制御されて動作するスイッチ／ＬＥＤ１３２ｂ、このカメラシステム１の電源を投入する電源ＳＷ１４ｂ、このカメラシステム１に電力を供給するバッテリ１４２ｂ、バッテリ１４２からカメラ本体１＿ｂの各要素に供給される電力を制御する電源制御部１４０ｂ、電力を調整するＤＣ／ＤＣコンバータ１４６ｂ、電力を維持してＩ／Ｏ１０９を介してカメラヘッド１＿ａに送るラッチ１４３ｂ、画像受信部１５０ｂで受信された画像データに圧縮処理などといった各種処理を施す画像処理部１０９ｂ、画像表示部１０５０ｂや情報表示部１０５１ｂでの表示を制御する表示制御部１０５ｂ、各種メニュー画面や、低解像度データに基づいてスルー画像などが表示される画像表示部１０５０ｂ、本体ＣＰＵ１００ｂや算出される被写界深度などを表示する情報表示部１０５１ｂ、本撮影時に生成された画像データが画像処理部１０９ｂで圧縮され、圧縮画像データがカードＩ／Ｆ１０６ｂを介して記録されるメモリカード１０８ｂが装填されるメモリカードスロット１０７ｂなどが備えられている。この画像受信部１５０ｂは、本発明にいう画像受信部の一例にあたり、情報送受信部１５１ｂは、本発明にいう情報受信部の一例にあたる。また、画像処理部１０９ｂは、本発明にいう画像処理部の一例にあたり、本体ＣＰＵ１００ｂは、本発明にいう演算部の一例に相当する。
【００３２】
カメラシステム１は、カメラヘッド１＿ａとカメラ本体１＿ｂとが、カメラヘッドマウントコネクタ１０ａがカメラ本体マウント１０ｂに着脱自在に嵌合することによって構成される。これらカメラヘッド１＿ａとカメラ本体１＿ｂとの間では、カメラヘッドマウントコネクタ１０ａとカメラ本体マウント１０ｂに設けられた電気的接点を介して通信が行われる。
【００３３】
本実施形態のカメラシステム１は、基本的には以上のように構成されている。
【００３４】
ここで、本実施形態のカメラシステム１においては、カメラ本体１＿ｂの情報表示部１０５１ｂに、被写界深度や合焦範囲などが表示される。
【００３５】
図４、および図５は、情報表示部１０５１ｂに被写界深度や合焦範囲が表示されるまでの一連の処理を示すフローチャートである。
【００３６】
尚、カメラヘッド１＿ａの不揮発性メモリ１９１ａには、ＣＣＤ１２ａの大きさ、ＣＣＤ１２ａの画素数、撮影光学系１１ａのＦ値、および焦点距離がヘッドパラメータとして予め記憶されている。
【００３７】
ユーザによって電源ＳＷ１４ｂが入れられると、バッテリ１４２ｂからカメラシステム１全体に電力が供給される（図４のステップＳ１１）。カメラヘッド１＿ａに電力が供給されると、ヘッドＣＰＵ１９ａが起動する（図４のステップＳ１２）。
【００３８】
まず、ヘッドＣＰＵ１９ａは、カメラヘッド１＿ａの不揮発性メモリ１９１ａに記憶されているヘッドパラメータを取得する（図４のステップＳ１３）。
【００３９】
続いて、取得したヘッドパラメータを、情報送受信部１５１ａ、マウント接点、および情報送受信部１５１ｂを介して本体ＣＰＵ１００ｂに送る（図４のステップＳ１４）。
【００４０】
本体ＣＰＵ１００ｂに送られたヘッドパラメータは、本体ＣＰＵ１＿ｂの不揮発性メモリ１０２ｂに記憶され、ヘッドパラメータのうち、図２に示すＣＣＤ情報３が表示制御部１０５ｂに送られて、情報表示部１０５１ｂに表示される（図４のステップＳ１５）。
【００４１】
ユーザは、情報表示部１０５１ｂに表示されたＣＣＤ情報３によって、３５ｍｍ相当焦点距離などを算出することができ、慣れ親しんだフィルムカメラに換算したときの撮影画角などを確認することができる。
【００４２】
ここで、ユーザがカメラ本体１＿ｂに設けられた操作子（図示しない）を使って、画像データサイズ、撮影モード、閃光の有無などを設定すると、被写界深度の算出が開始される（図５のステップＳ２１）。
【００４３】
本体ＣＰＵ１００ｂは、情報送受信部１５１ｂと情報送受信部１５１ａを介して、カメラヘッド１＿ａに低解像度データの送信指示を送る。
【００４４】
カメラヘッド１＿ａでは、ヘッドＣＰＵ１９ａからの指示に応じて撮影光学系１１ａに含まれるフォーカスレンズが光軸方向に駆動され、ＴＧ１８ａから伝えられるタイミングで、ＣＣＤ１２ａで被写体光が粗く読み取られて、アナログ信号処理部１３ａ、Ａ／Ｄ部１４ａを経て低解像度データが生成される。低解像度データは、積算回路１６ａに伝えられて、ＡＦ処理やＡＥ処理が実行される。また、生成された低解像度データは、画像送信部１５０ａおよび画像受信部１５０ｂを介して、本体ＣＰＵ１００ｂと測距装置１７１ｂにも送られる（図５のステップＳ２５）。測距装置１７１ｂでは、低解像度データに基づいて、被写体距離が算出され（図５のステップＳ２６）、算出された被写体距離が本体ＣＰＵ１００ｂに伝えられる（図５のステップＳ２７）。
【００４５】
本体ＣＰＵ１００ｂでは、カメラ本体１＿ｂの不揮発性メモリ１０２ｂに記憶されたヘッドパラメータが取得される（図５のステップＳ２２）。このとき、本体ＣＰＵ１００ｂでは、撮影光学系１１ａのＦ値、焦点距離といった撮像光学系１１ａに関する情報（図５のステップＳ２３）、およびＣＣＤ１２ａの大きさと画素数といったＣＣＤ１２ａに関する情報（図５のステップＳ２４）が取得される。本体ＣＰＵ１００ｂは、測距装置１７１ｂから送られてきた被写体距離と、ヘッドパラメータとから被写界深度と合焦範囲とを算出する（図５のステップＳ２８）。被写界深度は、
被写界深度＝ｄ×Ｆ×ａ／（ｆ2＋ｄ×ｆ×ａ）
ｄ：許容錯乱円（ＣＣＤ１２ａのセルピッチによって決まる。ＣＣＤ１２ａの大きさと画素数から算出される）、Ｆ：Ｆ値、ａ：被写体距離、ｆ：焦点距離
で算出される。
【００４６】
算出された結果は、表示制御部１０５ｂに送られ、カメラ本体１＿ｂの情報表示部１０５１ｂに表示される。例えば、「ＣＣＤサイズ１／１．７インチ、６Ｍ画素、Ｆ２．８、被写体距離２．０ｍ、焦点距離２８ｍｍ、ＡＰＳサイズ」のときには、「合焦範囲２．３ｍ〜４．２ｍ、被写界深度２．４ｍ」といった情報が表示される。
【００４７】
このように、情報表示部１０５１ｂに合焦範囲や被写界深度が表示されることによって、ユーザは、例えば、複数の被写体それぞれの距離を合焦範囲内に移動させてから撮影を行うことができ、ピンボケなどが生じていない撮影画像を取得することができる。
【００４８】
以上で、本発明の第１実施形態の説明を終了し、続いて、本発明の第２実施形態について説明する。本実施形態のカメラシステムは、第１実施形態のカメラシステム１とほぼ同様の構成を有するため、同じ要素には同じ符号を付して説明を省略し、第１実施形態および第２実施形態の相違点についてのみ説明する。
【００４９】
図６は、第２実施形態のカメラシステムにおけるカメラヘッド１＿ａ´の側面図であり、図７は、第２実施形態のカメラシステム２の内部構成図である。
【００５０】
図６に示すように、カメラヘッド１＿ａ´の側面には、被写界深度などを表示するための情報表示部１０５１ａが表示されている。この情報表示部１０５１ａも、本発明にいう情報表示部の一例に相当する。
【００５１】
図７に示すように、本実施形態のカメラシステム２では、カメラ本体１＿ｂには情報表示部１０５１ｂが設けられておらず、カメラヘッド１＿ａ´に、情報表示部１０５１ａと、情報表示部１０５１ａへの情報の表示を制御する表示制御部１０５ａが設けられている。
【００５２】
図８は、カメラヘッド１＿ａ´の情報表示部１０５１ａに情報が表示されるまでの一連の処理を示すフローチャートである。
【００５３】
図５のステップＳ２１と同様に、ユーザが、画像データサイズ、撮影モード、閃光の有無などを設定すると、被写界深度の算出が開始される（図８のステップＳ３１）。
【００５４】
本実施形態においては、カメラヘッド１＿ａ´のヘッドＣＰＵ１９ａが、カメラヘッド１＿ａ´内の各種要素に低解像度データの生成を指示する。生成された低解像度データは、画像送信部１５０ａと画像受信部１５０ｂとを介して、本体ＣＰＵ１００ｂや測距装置１７１ｂに送られる（図８のステップＳ３４）。測距装置１７１ｂでは、低解像度データに基づいて被写体距離が算出される（図８のステップＳ３５）。算出された被写体距離は、情報送受信部１５１ｂ、情報送受信部１５１ａを介してヘッドＣＰＵ１９ａに送られる（図８のステップＳ３６）。
【００５５】
また、ヘッドＣＰＵ１９ａでは、カメラヘッド１＿ａ´の不揮発性メモリ１９１ａに記憶されたヘッドパラメータを取得する（図８のステップＳ３２、３３）。
【００５６】
さらに、ヘッドＣＰＵ１９ａでは、ヘッドパラメータと、測距装置１７１ｂから送られてきた被写体距離とに基づいて、合焦範囲や被写界深度が算出される（図８のステップＳ３７）。
【００５７】
算出された結果は、カメラヘッド１＿ａ´の表示制御部１０５ａに送られ、カメラヘッド１＿ａ´の情報表示部１０５１ａに表示される。
【００５８】
このように、被写界深度や合焦範囲の情報は、カメラ本体１＿ｂの情報表示部１０５１ｂではなく、カメラヘッド１＿ａ´の情報表示部１０５１ａに表示してもよい。この場合、データ送受信にかかる時間を短縮するため、カメラ本体１＿ｂの本体ＣＰＵ１００ｂではなく、カメラヘッド１＿ａ´のヘッドＣＰＵ１９ａで被写界深度や合焦範囲を算出することが好ましい。
【００５９】
以上で、本発明の第２実施形態の説明を終了し、続いて、本発明の第３実施形態について説明する。本実施形態のカメラシステムは、第１実施形態および第２実施形態とほぼ同様の構成を有するため、同じ要素には同じ符号を付して説明を省略し、第１実施形態および第２実施形態との相違点についてのみ説明する。
【００６０】
図９は、本実施形態のカメラシステム３の内部構成図である。
【００６１】
図９に示すカメラシステム３には、測距装置１７１ｂに替えて、被写体距離入力装置１７２ｂが設けられている。このカメラシステム３では、ユーザによって、被写体距離入力装置１７２ｂを使って被写体までの距離が入力され、その入力された被写体距離が本体ＣＰＵ１００ｂに伝えられて、被写界深度などの算出に使用される。
【００６２】
このように、被写体距離をユーザが入力することによって、暗い場所で撮影を行い、測距装置で被写体距離を算出することができないときであっても、被写界深度などを算出することができる。
【００６３】
ここで、上記では、撮像素子としてＣＣＤを備えたカメラシステムについて説明したが、本発明にいう撮像素子は、ＭＯＳなどであってもよい。
【００６４】
また、上記では、ＣＣＤの大きさ、ＣＣＤの画素数、撮影光学系のＦ値、および焦点距離をヘッドパラメータとしてまとめて送信する情報送信部の例について説明したが、本発明にいう情報送信部は、被写体までの被写体距離、撮像光学系の焦点距離、撮像光学系の集光能力、撮像素子の大きさと画素数、および撮像素子の画素ピッチのうちの少なくとも１つを送信するものであればよい。
【００６５】
また、近年では、容器に収容された液体に電圧を印加し、その液面の形状等を変化させることによって光の屈折率を調節する液体レンズが開発されている。上記では、本発明にいう撮像光学系として通常のレンズを用いる例について説明したが、本発明にいう撮像光学系は、液体レンズなどであってもよい。この場合、「撮像光学系の駆動」とは、通常のレンズを光軸方向に移動させるのと等価な作用を行わせるように、液体に電圧を印加する作業などをいう。
【図面の簡単な説明】
【００６６】
【図１】本発明の一実施形態が適用されたカメラシステムの分解図である。
【図２】カメラシステム１の側面図である。
【図３】図１に示すカメラシステム１の内部構成図である。
【図４】情報表示部に情報が表示されるまでの一連の処理を示すフローチャートである。
【図５】情報表示部に情報が表示されるまでの一連の処理を示すフローチャートである。
【図６】カメラシステム１において、ユーザからの指示を受けてカメラヘッド１＿ａで機能が実行されるまでの一連の処理を示すフローチャートである。
【図７】第２実施形態のカメラシステムにおけるカメラヘッド１＿ａ´の側面図である。
【図８】第２実施形態のカメラシステム２の内部構成図である。
【図９】本実施形態のカメラシステム３の内部構成図である。
【符号の説明】
【００６７】
１    カメラシステム
１＿ａ，２＿ａ，…，ｎ＿ａ    カメラヘッド
１＿ｂ    カメラ本体
１０ａ    カメラヘッドマウントコネクタ
１１ａ    撮像光学系
１２ａ    ＣＣＤ
１４ａ    Ａ／Ｄ部
１５ａ    アナログ信号処理部
１６ａ    積算回路
１７ａ    絞り／フォーカスズーム制御部
１８ａ    ＴＧ
１９ａ    ヘッドＣＰＵ
１９０ａ    システムメモリ
１９１ａ    不揮発性メモリ
１００ａ    電源制御部
１０１ａ    ＤＣ／ＤＣコンバータ
１００ｂ    本体ＣＰＵ
１０１ｂ    システムメモリ
１０２ｂ    不揮発メモリ
１０４ｂ    フレームメモリ
１０５０ｂ    ＬＣＤ
１０６ｂ    カードＩ／Ｆ
１０７ｂ    メモリカードスロット
１１０ｂ    タイマ
１１１ｂ    カレンダ時計部
１２０ｂ    閃光発光制御部
１２１ｂ    閃光発光部
１３１ｂ    ＵＳＢドライバ
１３２ｂ    スイッチ／ＬＥＤ
１３３ｂ    Ｉ／Ｏ
１４ｂ    電源ＳＷ
１４０ｂ    電源制御部
１４１ｂ    Ｉ／Ｏ
１４２ｂ    バッテリ
１４３ｂ    ラッチ
１４６ｂ    ＤＣ／ＤＣコンバータ
【図１】
2006129173.tif 000003
【図２】
2006129173.tif 000004
【図３】
2006129173.tif 000005
【図４】
2006129173.tif 000006
【図５】
2006129173.tif 000007
【図６】
2006129173.tif 000008
【図７】
2006129173.tif 000009
【図８】
2006129173.tif 000010
【図９】
2006129173.tif 000011